(57)【要約】【課題】陳列棚の棚板のエンドを利用して陳列することができ、かつ、上記棚板上に平置きして陳列することもできる陳列台装置を提供する。【解決手段】陳列用トレイ１と、バックボード２と、このバックボード２の正面および背面に設けた第１，第２の脚部を備え、陳列用トレイ１の載置板部１１の後端部に凹部１３a を設け、バックボード２の背面に設けた第２の脚部の被係合部を、バックボード２の正面に設けた第１の脚部の被係合部より高い位置に設け、棚板３の端部に陳列用トレイ１の表示部１２の後端を当接させて棚板３上に載置された載置板部１１の凹部１３a に第１の脚部の被係合部を係合させる第１の陳列態様と、棚板３上に平置きされた陳列用トレイ１の載置板部１１の凹部１３a に第２の脚部の被係合部を係合させる第２の陳列態様のいずれかを選択しうるようにしている。【選択図】図１５
2005087544.tif 000002
【特許請求の範囲】
【請求項１】
陳列台装置載置部上に載置される陳列台装置であって、陳列用トレイと、その陳列用トレイの背部に起立状態で配設される背面板と、その背面板の正面および背面にそれぞれ横方向に延びた状態で設けられた第１および第２の脚部とを備え、上記陳列用トレイを、物品を載置するための載置板部と、この載置板部の前端部から下向きに突設される前縁部材とで構成し、上記載置板部の後端部に係合部を設け、この係合部に係脱自在に係合する被係合部を上記両脚部に設け、上記背面板の背面に設けられた第２の脚部の被係合部を上記背面板の正面に設けられた第１の脚部の被係合部より高い位置に設けるとともに、上記第２の脚部に、上記係合状態で上記載置板部を載置しうる載置面を形成し、上記陳列台装置載置部の端部に陳列用トレイの前縁部材の後端を当接させて陳列台装置載置部上に載置された載置板部の係合部に背面板の正面を手前に向けた状態でその第１の脚部の被係合部を係合させる第１の陳列態様と、上記陳列台装置載置部上に平置きされた陳列用トレイの載置板部の係合部に背面板の背面を手前に向けた状態でその第２の脚部の被係合部を係合させる第２の陳列態様とのいずれかの態様を選択しうるように構成したことを特徴とする陳列台装置。
【請求項２】
上記第１および第２の陳列態様において、載置板部が水平になるように構成されている請求項１記載の陳列台装置。
【発明の詳細な説明】
【技術分野】
【０００１】
本発明は、化粧料（テスター用化粧料等を含む）を収容する化粧料容器等の各種物品を店頭等に陳列するために用いられる陳列台装置に関するものである。
【背景技術】
【０００２】
従来から、スキンケア化粧料，ヘアカラー化粧料等の各種化粧料を収容する化粧料容器を、店頭等に陳列する場合には、その店の顧客の好みやその店の構造，陳列スペース等に合わせて、陳列台の選定，配置等が決められている。例えば、その店に既存の陳列棚が設けられている場合には、この陳列棚を有効利用するため、図２０に示すようなトレイ３０がよく用いられている。このトレイ３０は、ヘアカラー化粧料の販売用として用いられているものであるが、プラスチック製板状体を折り曲げ成形して作製されており、複数本の化粧料容器（図示せず）を載置しうる台板部分３１と、この台板部分３１の一方の長辺から立設された側板部分３２と、上記台板部分３１の一方の短辺から立設された立板部分３３と、この立板部分３３の上辺から水平に延びる水平板部分３４と、この水平板部分３４の一側辺から下向き傾斜状に延びる傾斜板部分３５とからなっている。また、上記立板部分３３の上端部，水平板部分３４，傾斜板部分３５にかけて、表面に化粧料の特長（図示せず）等が記載されたシール３６が貼着されている。このようなトレイ３０を、陳列棚の棚板（図示せず）のエンド付近に載置する場合には、傾斜板部分３５が台板部分３１の下側にまで延びているため、傾斜板部分３５を棚板のエンドの前方空間に配置した状態で、台板部分３１を棚板上に載置することを行う（例えば、特許文献１参照）。図において、３７は上記傾斜板部分３５に着脱自在に取り付けられた毛束吊り下げ具であり、これに色見本用毛束３８が吊り下げられている。
【特許文献１】特開平１１−３１３７１４号公報
【発明の開示】
【発明が解決しようとする課題】
【０００３】
しかしながら、上記のトレイ３０では、既存の陳列棚の棚板のエンドに、化粧料の特長，価格等を表示したＰＯＰ板が配設されている場合等、既存の陳列棚の棚板のエンドを利用できない（すなわち、傾斜板部分３５を棚板のエンドの前方空間に配置することができない）場合には、上記のトレイ３０の全体を棚板上に平置きして陳列しようとしても、傾斜板部分３５が台板部分３１の下側にまで延びているため、台板部分３１が傾斜して台板部分３１上に化粧料容器を載置することができないという問題がある。
【０００４】
本発明は、このような事情に鑑みなされたもので、陳列棚の棚板のエンドを利用して陳列することができ、かつ、上記棚板上に平置きして陳列することもできる陳列台装置の提供をその目的とする。
【課題を解決するための手段】
【０００５】
上記の目的を達成するため、本発明の陳列台装置は、陳列台装置載置部上に載置される陳列台装置であって、陳列用トレイと、その陳列用トレイの背部に起立状態で配設される背面板と、その背面板の正面および背面にそれぞれ横方向に延びた状態で設けられた第１および第２の脚部とを備え、上記陳列用トレイを、物品を載置するための載置板部と、この載置板部の前端部から下向きに突設される前縁部材とで構成し、上記載置板部の後端部に係合部を設け、この係合部に係脱自在に係合する被係合部を上記両脚部に設け、上記背面板の背面に設けられた第２の脚部の被係合部を上記背面板の正面に設けられた第１の脚部の被係合部より高い位置に設けるとともに、上記第２の脚部に、上記係合状態で上記載置板部を載置しうる載置面を形成し、上記陳列台装置載置部の端部に陳列用トレイの前縁部材の後端を当接させて陳列台装置載置部上に載置された載置板部の係合部に背面板の正面を手前に向けた状態でその第１の脚部の被係合部を係合させる第１の陳列態様と、上記陳列台装置載置部上に平置きされた陳列用トレイの載置板部の係合部に背面板の背面を手前に向けた状態でその第２の脚部の被係合部を係合させる第２の陳列態様とのいずれかの態様を選択しうるように構成したという構成をとる。
【発明の効果】
【０００６】
すなわち、本発明の陳列台装置では、これを陳列台装置載置部のエンド付近に載置する（陳列台装置載置部の端部に陳列用トレイの前縁部材の後端を当接させた状態で、陳列台装置載置部上に載置板部を載置する）場合には、背面板の正面を手前に向けた状態で、この背面板を陳列用トレイの背部に起立状態で配設し、載置板部の係合部に第１の脚部の被係合部を係合させる（第１の陳列態様にする）ことを行う。一方、陳列台装置載置部上に陳列用トレイの全体を平置きする場合には、背面板の背面を手前に向けた状態で、この背面板を陳列用トレイの背部に起立状態で配設し、陳列用トレイの載置板部の係合部に第２の脚部の被係合部を係合させるとともに、この第２の脚部の載置面に上記載置板部を載置する（第２の陳列態様にする）ことを行う。このとき、第２の脚部の被係合部を第１の脚部の被係合部より高い位置に設けているため，上記両陳列態様において、陳列用トレイの載置板部は、その上に物品を安定した状態で載置して陳列，展示することができる姿勢となる。このように、本発明では、陳列台装置載置部のエンドを利用して陳列することができる第１の陳列態様と、陳列台装置載置部上に平置きして陳列することができる第２の陳列態様とのいずれかの態様を選択することができ、便利である。本発明において、「陳列台装置載置部」とは、陳列棚の棚板やカウンセリング用，接客用等のデスク等の各種のものを指す。また、「物品」としては、化粧料容器があげられるが、これに限定するものではない。
【０００７】
また、上記第１および第２の陳列態様において、載置板部が水平になるように構成されていると、水平な載置板部上に直接に物品を安定して載置することができる。
【発明を実施するための最良の形態】
【０００８】
つぎに、本発明の実施の形態を図面にもとづいて詳しく説明する。
【０００９】
図１は本発明の陳列台装置の一実施の形態を示している。図において、１はスキンケア化粧料を収容する複数本の化粧料容器（物品）（図示せず）を載置するための陳列用トレイであり、２は上記陳列用トレイ１の背部に起立状態で配設されるバックボード（背面板）である。
【００１０】
上記陳列用トレイ１は、図２〜図６に示すように、上記複数本の化粧料容器を載置する平板状の載置板部１１と、この載置板部１１の前端部に接着，固定された略円筒状の表示部（前縁部材）１２とを備えており、上記載置板部１１が、平板状の発泡スチロール製の台板１３と、この台板１３の上面の、上記表示部１２より後側部分に接着，固定された平板状のプラスチック製の載置板１４とで構成されている。そして、上記台板１３には、その後端面から前側に向かって所定幅（一定幅）で延びる凹部（係合部）１３ａが切り欠き形成されており、また、上記載置板１４には、その上面に鏡面部１４ａが形成されている。
【００１１】
上記表示部１２は、図７および図８に示すように、透明なプラスチック製の３／４円筒部１５と、この３／４円筒部の左右両側の開口部を閉塞する左右一対の透明なプラスチック製の側板部１６とからなっている。より詳しく説明すると、上記３／４円筒部１５は、左右両側に開口部を有する円筒体のうち、後・下の１／４部分を切除し、後・上，前・上，前・下の３／４部分を残したもので構成されている。また、上記各側板部１６はそれぞれ、円板のうち、後・下の１／４部分を切除し、後・上，前・上，前・下の３／４部分を残したもので構成されており、上記３／４円筒部１５の左右両側の開口部に上記各側板部１６がそれぞれ接着，固定されている。そして、上記３／４円筒部１５の後端面１５a および上記両側板部１６の１／４切除部分の水平面１６a が、上記台板１１の前端部の上面に当接した状態で接着，固定され、上記両側板部１６の１／４切除部分の垂直面１６ｂが、上記台板１３の前端面に当接した状態で接着，固定されている。このような３／４円筒部１５には、その表面に、ブランド名，品名，各種広告等が記載されている。
【００１２】
上記バックボード２は、図９〜図１２に示すように、透明なプラスチック製の板体を２つ折り状に折り曲げるとともにこれら両折り曲げ板の一方の下端部を外側に向かって水平に折り曲げてなるボード部１９と、上記ボード部１９を支受する脚部２０とを備えており、上記ボード部１９の隙間に、ブランド名，品名，宣伝文句，写真等（図示せず）が記載された訴求ボード２１（図１３参照）が着脱自在に挿入，固定されている。
【００１３】
上記脚部２０は、平板状のプラスチック製の下側板部２３と、上記ボード部１９の下端折り曲げ部１９ａと、この下端折り曲げ部１９ａの上面に接着，固定される平板状のプラスチック製の上側板部２４とからなり、上記ボード部１９を陳列用トレイ１の載置板部１１の後端縁に沿わせた状態で、上記下側板部２３の上面の後半部分に上記ボード部１９の下端折り曲げ部１９ａの下面が接着，固定されている。このとき、上記下側板部２３の後半部分は、上側板部２４の真下に位置決めされている。そして、上記下側板部２３は、その厚みが上記陳列用トレイ１の台板１３の厚みと同じに設定されており、かつ、上記下側板部２３の前半部分は、上記台板１３に切り欠き形成された凹部１３ａと同じ形状に形成されている。これにより、上記下側板部２３の前半部分が上記台板１３の凹部１３ａに進退自在に挿入されるようになっており、上記下側板部２３の、ボード部１９より前側部分が第１の脚部および被係合部となり、その上面が載置面となる。また、上記下側板部２３とボード部１９の下端折り曲げ部１９ａと上側板部２４との厚みの合計が、上記表示部１３の両側板部１６の１／４切除部分の垂直面１６ｂの長さと同じに設定されており、かつ、上記上側板部２４は、上記台板１３の凹部１３ａと同じ形状に形成されているうえ、上記台板１３の厚みと同じか、それより厚く形成されている。これにより、上記上側板部２４も台板１３の凹部１３ａに進退自在に挿入されるようにしており、上記下側板部２３の、ボード部１９より後側部分と、ボード部１９の下端折り曲げ部１９ａと、この下端折り曲げ部１９ａの上側に積層される上側板部２４とが第２の脚部となり、上側板部２４が被係合部となり、上側板部２４の上面が載置面となる。
【００１４】
上記の構成において、棚板（陳列台装置載置部）３のエンドを利用して陳列台装置を載置する場合には、陳列用トレイ１の表示部１２の両側板部１６の１／４切除部分の垂直面１６ｂを、棚板３の前端面３ａに当接させ、その状態でバックボード２の正面を手前側に向け、陳列用トレイ１の台板１３の凹部１３ａに第１の脚部を挿入して係合させることを行う（図１４および図１５参照）。これにより、陳列用トレイ１の載置板部１１が水平になり、この載置板部１１上に化粧料容器を安定して載置することができる（第１の陳列態様）。一方、棚板３上に陳列台装置の全体を平置きする場合には、バックボード２の背面を手前側に向け、陳列用トレイ１の台板１３の凹部１３ａに第２の脚部の上側板部２４を挿入して係合させることを行う（図１６および図１７参照）。これにより、陳列用トレイ１の載置板部１１が水平になり、この載置板部１１上に化粧料容器を安定して載置することができる（第２の陳列態様）。
【００１５】
上記のように、この実施の形態では、棚板３のエンドを利用して陳列台装置を載置する第１の陳列態様で陳列することも、また、棚板３上に陳列台装置の全体を平置きする第２の陳列態様で陳列することもでき、便利である。しかも、上記両陳列態様において、陳列用トレイ１の載置板部１１上に化粧料容器を安定して載置し陳列することができる。
【００１６】
図１８および図１９は本発明の陳列台装置の他の実施の形態を示している。この実施の形態では、陳列用トレイ１の載置板部１１の台板１３の後端面に凹部１３ａを設ける代わりに、上記後端面から後側に向かって所定幅（一定幅）で延びる凸部（係合部）１３ｂを突設している。また、脚部２０の下側板部２３および上側板部２４にそれぞれ、上記凸部１３ｂに進退自在に挿入される凹部（被係合部）２３ａおよび２４ａを形成している。そして、上記下側板部２３には、載置面を設けておらず、一方、上記上側板部２４は、その凹部２４ａの底面を載置面としている。それ以外の部分は上記実施の形態と同様であり、同様の部分には同じ符号を付している。この実施の形態でも、上記実施の形態と同様の作用・効果を奏する。
【００１７】
なお、図１〜図１７に示す実施の形態では、脚部２０の下側板部２３の上面を載置面として利用しているが、これに限定するものではなく、載置面として利用しなくてもよい。
【図面の簡単な説明】
【００１８】
【図１】本発明の陳列台装置の一実施の形態を示す斜視図である。
【図２】陳列用トレイの側面図である。
【図３】上記陳列用トレイの平面図である。
【図４】上記陳列用トレイの底面図である。
【図５】上記陳列用トレイの背面図である。
【図６】上記陳列用トレイの断面図である。
【図７】表示部の拡大断面図である。
【図８】上記表示部の拡大背面図である。
【図９】バックボードの側面図である。
【図１０】上記バックボードの正面図である。
【図１１】上記バックボードの背面図である。
【図１２】上記バックボードの平面図である。
【図１３】上記バックボードの作用を示す斜視図である。
【図１４】上記陳列台装置の作用を示す斜視図である。
【図１５】上記陳列台装置の作用を示す断面図である。
【図１６】上記陳列台装置の作用を示す斜視図である。
【図１７】上記陳列台装置の作用を示す断面図である。
【図１８】本発明の陳列台装置の他の実施の形態を示す要部の拡大断面図である。
【図１９】上記陳列台装置の作用を示す要部の拡大断面図である。
【図２０】従来例を示す斜視図である。
【符号の説明】
【００１９】
１  陳列用トレイ
２  バックボード
３  棚板
１１  載置板部
１２  表示部
１３ａ  凹部
【図１】
2005087544.tif 000003
【図２】
2005087544.tif 000004
【図３】
2005087544.tif 000005
【図４】
2005087544.tif 000006
【図５】
2005087544.tif 000007
【図６】
2005087544.tif 000008
【図７】
2005087544.tif 000009
【図８】
2005087544.tif 000010
【図９】
2005087544.tif 000011
【図１０】
2005087544.tif 000012
【図１１】
2005087544.tif 000013
【図１２】
2005087544.tif 000014
【図１３】
2005087544.tif 000015
【図１４】
2005087544.tif 000016
【図１５】
2005087544.tif 000017
【図１６】
2005087544.tif 000018
【図１７】
2005087544.tif 000019
【図１８】
2005087544.tif 000020
【図１９】
2005087544.tif 000021
【図２０】
2005087544.tif 000022